(57)【要約】【課題】  ＩＣタグ用のアンテナコイル間の隙間を調整することによりその発振周波数を変えるのに、簡便で、かつ安価な巻線方法およびアンテナコイルを提供する。【解決手段】  アンテナコイルの仕様にしたがって、導電線の径や、巻数、線材の間隔が決められると、導電線の間隔に等しい、非導電性および非磁性の樹脂等の絶縁線を、導電線に当接させて巻芯に同心状に巻付けたのち、巻芯から外し、そのままシート上にコイルを張りつけるようにした。【選択図】図２
2007181160.tif 000002
【特許請求の範囲】
【請求項１】
ＩＣタグ等に用いられるアンテナコイルの巻線方法であって、導電線と絶縁線を当接した状態で、巻芯の周囲に一列に所定数巻回してコイルとし、コイルの導電線間を絶縁線の径分の間隔を確保し、所定の特性を得ることを特徴とするＩＣタグ等に用いられるアンテナコイルの巻線方法。
【請求項２】
ＩＣタグ等に用いられるアンテナコイルであって、導電線と絶縁線を当接した状態で、巻芯の周囲に一列に所定数巻回してコイルとし、コイルの導電線間を絶縁線の径分の間隔を確保し、所定の特性を得ることを特徴とするＩＣタグ等に用いられるアンテナコイル。
【発明の詳細な説明】
【技術分野】
【０００１】  本発明は、ＩＣカードやＩＣタグに用いられるアンテナコイルの巻線方法およびアンテナコイルに関するものである。
【背景技術】
【０００２】  従来、シート上にアンテナコイルを形成する方法としては、
▲１▼アンテナコイルのターン数や形状を仕様によって決定し、エッチングなどにより、基板上にコイルを形成する。【０００３】  ▲２▼ノズルから繰り出される線材を、アンテナコイルの仕様にしたがってシート上に這わせ、超音波ホーンなどにより加熱してシート上に埋め込み巻線する。【０００４】  ▲３▼あらかじめ、巻枠に、アンテナコイルを巻線しておき、巻枠から外して、粘着性のある、シート上にコイルを張りつける。
などの方法があった。
【発明の開示】
【発明が解決しようとする課題】
【０００５】  しかしながら、これらの方法において▲１▼の場合は、エッチングにより形成されたコイル形状を変えることができないので、共振周波数が設計どおりでない場合は、コイルをトリミングして細くしたり、コンデンサを追加したり、あるいは、製作し直すなどの作業が必要となり、その手間とコストがかかるという問題があった。【０００６】  また、▲２▼の場合は、簡単に、巻線形状や線間の距離を変えて再度巻線して調整することが可能であるが、巻線そのものが高価であり、ＩＣタグのような、単価の安いものには、導入できなかった。【０００７】  また、▲３▼の場合は、コストの点では有利であるが、コイルの間隔を巻枠に設けた段差によって決めているので、巻枠から外したときに、形が崩れやすいため線材間の間隔を一定に保ちづらく、また巻枠によってその線材の間隔が決まってしまうので、予定していた特性が出ない場合は、新たな巻枠を作成する必要があり、コストが上昇してしまうという問題があった。【０００８】  本発明は上記の問題点に鑑みてなされたものであって、安価で、取扱いが簡単で、仕様の変更にも容易に対応できる、アンテナコイルの製造方法およびアンテナコイルを提供することを目的とする。
【課題を解決するための手段】
【０００９】  第１の発明は、ＩＣタグ等に用いられるアンテナコイルの巻線方法において、導電線と絶縁線を当接した状態で、巻芯の周囲に一列に所定数巻回してコイルとし、コイルの導電線間を絶縁線の径分の間隔を確保したことを特徴とする。【００１０】  第２の発明は、ＩＣタグ等に用いられるアンテナコイルにおいて、導電線と絶縁線を当接した状態で、巻芯の周囲に一列に所定数巻回してコイルとし、コイルの導電線間を絶縁線の径分の間隔を確保したことを特徴とする。
【発明の効果】
【００１１】  第１、第２の発明によると、アンテナコイルの仕様にしたがって、線材の径や、巻数、線材の間隔が決められると、線材の間隔に等しい、非導電性および非磁性の樹脂等の絶縁線を、導電線に当接させて巻枠に同心状に巻付けるようにしたので、巻枠の形状が簡単になるとともに、コイルも導電線と絶縁線が密着した状態で、巻線され、巻枠から外したときに巻崩れる心配がない。【００１２】  また、絶縁線は、コイルの特性に影響を与えないので、そのまま、シート上にコイルとともに張りつければよく、また所定の特性が出ないときは、多少径の異なる、絶縁線により再度巻き直せばよいので、巻枠を変える必要もなく、コストの上昇を抑えることができる。したがって、ＩＣタグのような、価格の安いものにも使用が可能となる。
【実施例】
【００１３】  以下に本発明を実施するための巻線装置（１）および本発明の実施形態を添付図面１および２に基づいて説明する。【００１４】  まず、コイル（２）の仕様にあうコイル内径をもつ、巻冶具（３）を用意する。【００１５】  次に、コイル（２）の仕様にしたがって、所定の径の導電線（５）および導電線の間隔に等しい非導電性および非磁性の樹脂等の絶縁線（６）を用意する。【００１６】  そして、これらの線材を上下に当接して、テンション装置を経由して巻冶具（３）に導く。【００１７】  巻治具（３）は、導電線（５）および絶縁線（６）が巻回される巻芯（４）とその両端に位置する鍔（３Ａ、３Ｂ）から構成される。【００１８】  巻治具（３）に導電線（５）および絶縁線（６）を一列に巻き上げるので、巻治具（３）には、導電線（５）の径の幅に等しくなるように、巻幅を規制する鍔（３Ａ、３Ｂ）を巻芯（４）の両側に設け、一方の固定鍔（３Ａ）を固定し、他方の可動鍔（３Ｂ）を巻治具（３）の回転軸上に沿って移動モータ（７）により移動可能とする。【００１９】  巻治具（３）はスピンドル軸（８）に固定され、スピンドル軸（８）の回転に伴い、軸中心に回転する。【００２０】  このような構成からなる巻線装置（１）によって、線材スプール（９Ａ，９Ｂ）から導電線（５）と絶縁線（６）をそれぞれ繰り出し、巻治具（３）に案内する。【００２１】  巻芯（４）上では、導電線（５）と絶縁線（６）が上下に当接され、側面の鍔（３Ａ、３Ｂ）によって、その幅方向が規制される。【００２２】  巻芯（４）は、おおよそ四隅がＲ形状となった、四角形の形状であり、この巻芯（４）の固定側の固定鍔（３Ａ）を支持する支持板（１０）には、導電線（５）および絶縁線（６）の先端を保持する保持部（１１）が設けられ、巻治具（３）を回転させると、先端を保持された導電線（５）および絶縁線（６）は、導電線（５）と絶縁線（６）が当接した状態で、巻芯（４）上を一列に多層に巻上げられる。【００２３】  なお、この固定側の固定鍔（３Ａ）には、切り欠き（３Ｃ）が設けられ、保持部（１１）に保持された巻き始めの導電線（５）および絶縁線（６）がその上層に巻線される導電線（５）および絶縁線（６）に干渉しないように、逃げ部を形成している。【００２４】  所定の巻回数になったら、巻治具（３）の回転を止めて、導電線（５）および絶縁線（６）を、カッター（１２）でカットする。【００２５】  次に、移動可能な可動鍔（３Ｂ）を移動させて、巻芯（４）から離し、巻線したコイル（２）を巻治具（３）から外す。その際、コイル（２）の巻き終わりが解けないように、テープで固定してもよい。【００２６】  巻芯（４）から外したコイル（２）は、その表面に粘着剤が塗布されたシートに貼り付ける。【００２７】  なお、シート上には、ＩＣチップが同じく貼り付けられており、ＩＣチップの電極に、コイル（２）の導電線の巻始めリード部（２Ａ）と、巻終りリード部（２Ｂ）を接続する。【００２８】  接続後、コイル（２）およびＩＣチップを覆う粘着シートを貼り付け、ＩＣタグとする。【００２９】  なお、コイル（２）を自己融着線とし、巻線時やシートに貼り付けた際に加熱あるいはアルコールを塗布して、融着層を溶��してシートに固定してもよい。【００３０】  その際、絶縁線はその状態を維持しても、あるいは、自己融着線の融着層と一緒に溶融しても良い。【００３１】  以上のような、工程であれば、特性が出なくても、絶縁線（６）の径を少し変えて、再度巻線すればよく、高価な埋め込み巻線用の巻線機も必要なく、コイル（２）の形状も安定した形で、巻治具（３）から外してシートに貼り付ける事ができ、安価な構成の巻線機で、実験を繰り返す事ができ、量産時においても、その生産コストは、従来の方法に比べ、大幅に安価とする事ができる。
【産業上の利用可能性】
【００３２】  本願発明は、ＩＣタグ等に限らず、コイルの共振周波数を調整する必要のある他の用途のコイルにも適用できる。
【図面の簡単な説明】
【００３３】
【図１】本発明を実施するための巻線装置の斜視図
【図２】本発明の実施形態を示すアンテナコイルの平面図
【符号の説明】
【００３４】  １    巻線機
２    コイル
２Ａ  巻始めリード部
２Ｂ  巻終りリード部
３    巻治具
３Ａ  固定鍔
３Ｂ  可動鍔
３Ｃ  切り欠き
４    巻芯
５    導電線
６    絶縁線
７    移動モータ
８    スピンドル軸
９Ａ  線材スプール
９Ｂ  線材スプール
１０    支持板
１１    保持部
１２    カッター
【図１】
2007181160.tif 000003
【図２】
2007181160.tif 000004